(57)【要約】【課題】臀部あるいは腰部分を保護する保護マットを提供する。【解決手段】人体の臀部および腰部分を保護する保護部材１１と、この保護部材１１を人体に対して胴体部分で固定する胴体固定部材１２と、保護部材１１を人体に対して足部分で固定する足固定部材１３Ａ，１３Ｂとを有している。保護部材１１には、足の動きに合わせて密着させることができるように股の方向に突出した湾曲部１１Ｃが設けられている。保護部材１１は、ウエットスーツ用生地により形成することが好ましい。【選択図】図１
2008138346.tif 000002
【特許請求の範囲】
【請求項１】
人体の臀部および腰部分を保護する保護部材と、この保護部材を人体に対して胴体部分で固定する胴体固定部材と、前記保護部材を人体に対して足部分で固定する足固定部材とを有し、
前記保護部材は、股の方向に突出した湾曲部を有する
ことを特徴とする保護マット。
【請求項２】
前記保護部材は、ウエットスーツ用生地よりなることを特徴とする請求項１に記載の保護マット。
【請求項３】
前記保護部材は、臀部から腰部分を覆う保護シートと、この保護シートに対して少なくとも臀部と接触する部分に設けられた臀部接触シートとを有することを特徴とする請求項１に記載の保護マット。
【請求項４】
前記臀部接触シートは、臀部から腰部分にかけて接触するように保護シートに対して設けられたことを特徴とする請求項３に記載の保護マット。
【請求項５】
前記胴体固定部材の少なくとも一部または前記足固定部材の少なくとも一部は、ナイロン樹脂よりなることを特徴とする請求項１から請求項４のいずれかに記載の保護マット。
【請求項６】
前記胴体固定部材は、前記保護部材に対して着脱可能であり、かつ、前記保護部材に対して着脱位置を変えることができることを特徴とする請求項１から請求項５のいずれかに記載の保護マット。
【請求項７】
人体の臀部および腰部分を保護する保護部材と、この保護部材を人体に対して胴体部分で固定する胴体固定部材と、前記保護部材を人体に対して足部分で固定する足固定部材とを有し、
前記保護部材は、ウエットスーツ用生地よりなる
ことを特徴とする保護マット。
【発明の詳細な説明】
【技術分野】
【０００１】
本発明は、臀部や腰等を保護する保護マットに関する。
【背景技術】
【０００２】
車椅子を利用する人は、腰椎より下の神経が弱いことが多い。このため、下半身の肉付きが少なく、車椅子を降りて移動したり、入浴する際に、臀部や腰部分が傷つき易い。また、一度、傷を作ってしまうと治り難いという問題もあった。
【特許文献１】特開２００２−３８３１４号公報
【発明の開示】
【発明が解決しようとする課題】
【０００３】
そこで、車椅子を降りて移動などをする際に、臀部あるいは腰部分を保護する保護マットの開発が求められていた。なお、特許文献１には、転倒時に大腿骨を保護する保護具が開示されているが、腰部分や臀部を保護するものではなく、また、プロテクト板が入っており、動作性や携帯性、肌触りの観点からは十分ではなかった。
【０００４】
本発明は、このような問題に基づきなされたものであり、臀部あるいは腰部分を保護する保護マットを提供することを目的とする。
【課題を解決するための手段】
【０００５】
本発明の第１の保護マットは、人体の臀部および腰部分を保護する保護部材と、この保護部材を人体に対して胴体部分で固定する胴体固定部材と、保護部材を人体に対して足部分で固定する足固定部材とを有し、保護部材は、股の方向に突出した湾曲部を有するものである。
【０００６】
本発明の第２の保護マットは、人体の臀部および腰部分を保護する保護部材と、この保護部材を人体に対して胴体部分で固定する胴体固定部材と、保護部材を人体に対して足部分で固定する足固定部材とを有し、保護部材は、ウエットスーツ用生地よりなるものである。
【発明の効果】
【０００７】
本発明の第１の保護マットによれば、人体の臀部および腰部分を保護する保護部材と、この保護部材を人体に対して胴体部分で固定する胴体固定部材と、保護部材を人体に対して足部分で固定する足固定部材とを有するようにしたので、人体の動作に合わせて臀部あるいは腰部分を効果的に保護することができる。また、股の方向に突出した湾曲部を保護部材に設けるようにしたので、足の動きに合わせて湾曲部が変形することにより、保護部材の人体に対する密着性をより向上させることができる。よって、動作性をより向上させることができる。
【０００８】
更に、保護部材を、ウエットスーツ用生地により形成するようにすれば、耐久性に優れているので、長期間にわたって使用することができると共に、耐水性にも優れているので、入浴時にも使用することができ、更には肌触りもよいので、使い心地を向上させることができる。
【０００９】
更にまた、保護部材に、臀部から腰部分を覆う保護シートと、この保護シートに対して少なくとも臀部と接触する部分に設けられた臀部接触シートとを有するようにすれば、特に圧力を受けやすい臀部をより効果的に保護することができる。また、臀部接触シートを臀部から腰部分にかけて設けるようにすれば、腰部分についてもより効果的に保護することができ、例えば、安心して寝ころぶこともできる。
【００１０】
加えて、足固定部材の少なくとも一部または胴体固定部材の少なくとも一部を、ナイロン樹脂よりなるようにすれば、耐久性あるいは耐水性を向上させることができると共に、人体に対してよりしっかり固定することができる。
【００１１】
加えてまた、胴体固定部材を、保護部材に対して着脱可能とし、かつ、保護部材に対して着脱位置を変えることができるようにすれば、人体に対して装着性をより向上させることができる。
【００１２】
本発明の第２の保護マットによれば、人体の臀部および腰部分を保護する保護部材と、この保護部材を人体に対して胴体部分で固定する胴体固定部材と、保護部材を人体に対して足部分で固定する足固定部材とを有するようにしたので、人体の動作に合わせて臀部あるいは腰部分を効果的に保護することができる。また、保護部材をウエットスーツ用生地により形成するようにしたので、適度な弾力性を保ち、臀部あるいは腰部分をより効果的に保護することができる。更にまた、耐久性に優れているので、長期間にわたって使用することができると共に、耐水性にも優れているので、入浴時にも使用することができ、更には肌触りもよいので、使い心地を向上させることができる。
【発明を実施するための最良の形態】
【００１３】
以下、本発明の実施の形態について、図面を参照して詳細に説明する。
【００１４】
図１は、本発明の一実施の形態に係る保護マット１０を一方から見た斜視図であり、図２は、他方から見た斜視図である。
【００１５】
この保護マット１０は、例えば、保護部材１１と、胴体固定部材１２と、足固定部材１３Ａ，１３Ｂとを備えている。
【００１６】
保護部材１１は、臀部から腰部分を覆う保護シート１１Ａを有しており、臀部あるいは腰部分が外部から受ける圧力を緩和して、臀部あるいは腰部分を保護し、臀部あるいは腰部分などが傷つくことを防止することができるようになっている。更に、保護部材１１は、保護シート１１Ａに対して臀部と接触する部分に設けられた臀部接触シート１１Bを有していることが好ましい。臀部と接触する部分は特に圧力を受けやすいからである。
【００１７】
保護部材１１は、また、股の方向に突出した湾曲部１１Ｃを有していることが好ましい。この湾曲部１１Ｃは、人体の股部分に合うようになっており、足の動きに合わせて変形するようになっている。これにより、保護部材１１の人体に対する密着性がより向上し、動作性をより向上させることができるようになっている。
【００１８】
保護部材１１は、ウエットスーツ用生地により形成されていることが好ましい。適度な弾力性を有しており、臀部あるいは腰部分をより効果的に保護することができるからである。また、耐久性に優れているので、長期間にわたって使用することができると共に、耐水性にも優れているので、入浴時にも使用することができ、更には肌触りもよいので、使い心地を向上させることができるからである。ウエットスーツ用生地としては、例えば、スキン素材よりなるもの、あるいはスキン素材の表面にジャージ素材を張り合わせたものが挙げられる。スキン素材としては、例えば、クロロプレンを含むものが挙げられる。
【００１９】
保護部材１１の幅Ｗは、臀部の幅と同等程度であることが好ましい。臀部の幅よりも狭いと、臀部を保護できない部分が生じてしまい、臀部の幅より広いと、例えば、お風呂から出る際に、水を掬い易くなってしまうからである。保護マット１０の幅Ｗの寸法は、適宜選択して設計することができるが、例えば、２８０ｍｍ以上３４０ｍｍ以下である。
【００２０】
また、保護部材１１の長さＬは、臀部および腰椎を保護する範囲とすることが好ましい。その寸法は、適宜選択して設計することができるが、例えば、４３０ｍｍ以上５２０ｍｍ以下である。
【００２１】
保護シート１１Ａにおける人体との非接触側の表面、例えば人体との接触側を内側とすると外側の表面は、ジャージ素材を張り合わせたジャージ面とすることが好ましい。また、臀部接触シート１１Ｂにおける人体との接触側の表面についても、ジャージ面とすることが好ましい。これらの部分は、特に磨耗し易く、耐磨耗性の高いジャージ面を用いることにより、耐久性を高くすることができるからである。また、保護シート１１Ａにおける人体との接触側の表面は、ジャージ面としてもよいが、スキン面としてもよい。コストを低くすることができるからである。
【００２２】
保護シート１１Ａの厚みＴ１は、５ｍｍ以上７ｍｍ以下であることが好ましい。厚みが厚いと携帯性が低下してしまい、厚みが薄いと、臀部あるいは腰部分の保護効果が低下してしまうからである。
【００２３】
また、臀部接触シート１１Ｂの厚みＴ２は、４ｍｍ以上６ｍｍ以下であることが好ましい。厚みが厚いと携帯性が低下してしまい、厚みが薄いと、臀部の保護効果が低下してしまうからである。
【００２４】
更に、保護シート１１Ａの厚みＴ１と臀部接触シート１１Ｂの厚みＴ２との合計は、１０ｍｍ以上１２ｍｍ未満であることが好ましい。厚みが厚いと携帯性が低下してしまい、厚みが薄いと、臀部の保護効果が低下してしまうからである。
【００２５】
湾曲部１１Ｃの高さＨは、人体の股部分に接触する範囲であればよく、例えば、５０ｍｍ以上１００ｍｍ以下であることが好ましい。低すぎると、足を動かせる範囲が狭くなってしまうからである。また、足を動かせる範囲には限度があるので、高くしても効果に限界があるからである。
【００２６】
胴体固定部材１２は、保護部材１１を人体に対して胴体部分で固定する部材である。胴体固定部材１２の形状としては、例えば、紐状あるいはベルト状のものが挙げられる。
【００２７】
胴体固定部材１２による固定方法としては、例えば、紐状の部材を胴体に回して結んでもよいし、またはベルト状の部材の端部に面状ファスナやバックルを取り付け、この部材を胴体に回したのち端部同士を貼り付けあるいは結合するようにしてもよく、更には、長さを調整する手段を設けて調整するようにしてもよい。
【００２８】
また、胴体固定部材１２の材質としては、例えば、ゴムあるいはナイロン樹脂などが挙げられ、中でも、ナイロン樹脂が好ましい。ナイロン樹脂は、例えば、ゴムよりも伸縮性が小さく、人体に対してしっかり固定することができるからである。また、水に濡れても乾燥し易いので、耐久性あるいは耐水性を向上させることができるからである。
【００２９】
胴体固定部材１２は、また、保護部材１１に対して着脱可能とし、かつ、保護部材１１に対して着脱位置を変えることができるものとすることが好ましい。胴体固定部材１２の位置を自由に変えることができ、人体に対して装着性をより向上させることができるからである。
【００３０】
具体的に例を挙げれば、保護部材１１と胴体固定部材１２とを面状ファスナで着脱可能とし、保護部材１１に取り付けた面状ファスナ１４を、胴体固定部材１２に取り付けた面状ファスナよりも、広範囲に設けることにより、着脱位置を変えることができる。なお、保護部材１１に取り付ける面状ファスナ１４は、雌面であることが好ましい。雄面であると、例えば、服の布地などと接触して傷をつけてしまうからである。
【００３１】
足固定部材１３Ａ，１３Ｂは、保護部材１１を人体に対して足部分で固定する部材である。足固定部材１３Ａ，１３Ｂの形状，固定方法および材質としては、例えば、胴体固定部材１２と同様のものが挙げられる。足固定部材１３Ａ，１３Ｂと保護部材１１とは、胴体固定部材１２と同様に着脱可能とされていてもよいが、縫い付けなどにより取り付けられていることが好ましい。足の部分は動きが大きいのでしっかりと固定する必要があるからである。
【００３２】
図３は、保護マット１０を人体に装着した状態を一方から見た斜視図であり、図４は、他方から見た斜視図である。
【００３３】
保護マット１０の人体に対する装着は、例えば、次のようにして行う。まず、保護部材１１に人体の臀部を合わせる。その際、湾曲部１１Ｃに人体の股部分を合わせる。次に、胴体固定部材１２を胴体部分に巻きつけて固定すると共に、足固定部材１３Ａ，１３Ｂを左右の太股部分にそれぞれまきつけて固定する。その際、胴体固定部材１２を保護部材１１に対して着脱し、保護部材１１に対して着脱位置を適宜変えて固定し易い部分に合わせる。これにより、保護マット１０を人体に装着することができる。なお、湾曲部１１Ｃは、足の動きに合わせて変形することができるので、保護部材１１の人体に対する密着性がより向上して、動作性をより向上させることができるようになっている。
【００３４】
図５は、保護マット１０の携帯時における状態の一例を表すものである。具体的には、胴体固定部材１２を取外した保護マット１０を股方向から丸めたのち、この丸められた保護マット１０に、取外しておいた胴体固定部材１２を巻き付けて固定した状態である。これにより、携帯性が向上している。
【００３５】
このように本実施の形態に係る保護マット１０によれば、保護部材１１と、胴体固定部材１２と、足固定部材１３Ａ，１３Ｂとを有するようにしたので、人体の動作に合わせて臀部あるいは腰部分を効果的に保護することができる。
【００３６】
また、湾曲部１１Ｃを保護部材１１に設けるようにすれば、足の動きに合わせて湾曲部１１Ｃが変形することにより、保護部材１１の人体に対する密着性をより向上させることができる。よって、動作性をより向上させることができる。
【００３７】
更に、保護部材１１を、ウエットスーツ用生地により形成するようにすれば、耐久性に優れているので、長期間にわたって使用することができると共に、耐水性にも優れているので、入浴時にも使用することができ、更には肌触りもよいので、使い心地を向上させることができる。
【００３８】
更にまた、足固定部材１３の少なくとも一部または胴体固定部材１２の少なくとも一部を、ナイロン樹脂よりなるようにすれば、耐久性あるいは耐水性を向上させることができると共に、人体に対してよりしっかり固定することができる。
【００３９】
加えて、胴体固定部材１２を、保護部材１１に対して着脱可能とし、かつ、保護部材１１に対して着脱位置を変えることができるようにすれば、人体に対して装着性をより向上させることができる。
【００４０】
以上、実施の形態を挙げて本発明を説明したが、本発明は上記実施の形態に限定されるものではなく、種々変形可能である。例えば、上記実施の形態では、保護シート１１Ａに臀部接触シート１１Ｂを設けるようにしたが、臀部接触シート１１Ｂを設けなくてもよい。この場合、保護シート１１Ａの厚みは、５ｍｍ以上１５ｍｍ以下であることが好ましい。
【００４１】
また、上記実施の形態では、臀部接触シート１１Ｂを臀部に接触する部分にのみ設けるようにしたが、例えば図６に示したように、臀部から腰部分にかけて接触するように保護シート１１Ａに対して設けるようにしてもよい。この場合、臀部接触シート１１Ｂは、保護シート１１Ａの一部に対して設けるようにし、胴体固定部材１２および足固定部材１３Ａ，１３Ｂの取り付け位置に重ならないようにすることが好ましい。必要な部分のみを厚くすることにより、保護効果を高くしつつ、装着性および携帯性を向上させることができるからである。臀部接触シート１１Ｂの長さＬ２は、適宜選択して設計することができるが、例えば、臀部に接触する部分にのみ設ける場合であれば１４０ｍｍ以上２５０ｍｍ以下であることが好ましく、臀部から腰部分にかけて接触するように設ける場合であれば３００ｍｍ以上５００ｍｍ以下であることが好ましい。
【００４２】
更に、上記実施の形態では、保護部材１１に湾曲部１１Ｃを設けるようにしたが、湾曲部１１Ｃを設けなくてもよい。但し、湾曲部１１Ｃを設けるようにした方が好ましい。
【００４３】
加えて、上記実施の形態では、胴体固定部材１２を保護部材１１に対して着脱可能とし、保護部材１１に対して着脱位置を変えることができるようにしたが、保護部材１１に対して縫い付けなどにより固定して取り付けるようにしてもよい。このようにすれば、上体を大きく動かす場合にも、保護部材１１を人体に対してしっかり固定することができるからである。この場合には、人体の大きさに合わせて保護部材１１の寸法を適宜変更することにより、人体に対する装着性を向上させることができる。
【００４４】
加えてまた、上記実施の形態では、携帯時に保護マット１０を丸めて胴体固定部材１２を巻き付けて固定するようにしたが、胴体固定部材１２を用いて固定するのではなく、丸めた保護マット１０を携帯用の袋に入れて持ち運ぶようにしてもよい。
【産業上の利用可能性】
【００４５】
車椅子を利用する人が移動する際などに用いることができる。
【図面の簡単な説明】
【００４６】
【図１】本発明の一実施の形態に係る保護マット１０を一方から見た斜視図である。
【図２】図１に示した保護マット１０を他方から見た斜視図である。
【図３】図１に示した保護マット１０を人体に装着した状態を一方から見た斜視図である。
【図４】図１に示した保護マット１０を人体に装着した状態を他方から見た斜視図である。
【図５】保護マット１０の携帯時における状態の一例を表すものである。
【図６】本発明の変形例に係る保護マット１０を一方から見た斜視図である。
【符号の説明】
【００４７】
１０…保護マット、１１…保護部材、１１Ａ…保護シート、１１Ｂ…臀部接触シート、１１Ｃ…湾曲部、１２…胴体固定部材、１３Ａ，１３Ｂ…足固定部材、１４…面状ファスナ
【図１】
2008138346.tif 000003
【図２】
2008138346.tif 000004
【図３】
2008138346.tif 000005
【図４】
2008138346.tif 000006
【図５】
2008138346.tif 000007
【図６】
2008138346.tif 000008